(57)【要約】      （修正有）【課題】ガス流路内にも受ける、取付容易で設定圧力の調整容易な過剰流出防止弁を提供する。【解決手段】ガス流路内の弁座口を閉塞する方向に移動可能な球弁１０と、球弁１０を支える保持部材１１〜１３と、球弁１０を前記保持部材１１〜１３側へ付勢する引っ張りバネ１７とからなり、球弁１０と保持片１２の各々の所定位置に、引っ張りバネ１７の両端を係止させる第１、第２係止部１６，１４を形成し、引っ張りバネ１７の自然長を、球弁１０が保持片１２に保持された通常時の第１、第２係止部１６，１４間の距離よりも短く設定する。【選択図】図２
2015096746.tif 000002
【特許請求の範囲】
【請求項１】
ガス流路内に設けたテーパ状の弁座口を閉塞する方向に移動可能な球弁と、前記球弁を支える保持部材と、前記球弁と前記保持部材との間に介在され前記球弁を前記保持部材側へ付勢する引っ張りバネとからなる過流出防止弁において、
前記保持部材は、前記ガス流路の内径よりも大径で且つ弾性的に縮径可能な両端開放の固定筒と、前記固定筒の中心線に沿って位置し且つその先端で前記球弁を離反可能に保持する保持片と、前記保持片と前記固定筒の内壁とを繋ぐ連結片とからなり、
前記球弁と前記保持片の各々の所定位置に、前記引っ張りバネの両端がそれぞれ係止される第１、第２係止部が形成され、
前記引っ張りバネの自然長は、前記球弁が前記保持片に保持された状態にある通常時における前記第１、第２係止部間の距離よりも短く設定されている過流出防止弁。
【請求項２】
請求項１に記載の過流出防止弁において、前記固定筒は、略矩形状の金属製薄板を両短辺が相互に対向するように湾曲させた断面略Ｃ字状体とし、
前記連結片は、前記固定筒の一方の短辺から前記固定筒の中心に向かって延設されていると共に、
前記保持片は、前記連結片の延設端近傍部分からさらに下流側へ延設されている過流出防止弁。
【請求項３】
請求項１又は請求項２に記載の過流出防止弁において、前記球弁には、前記保持片の先端が遊嵌状態に挿入される１つの穴部がその中心を通るように開放しており、
前記第１係止部は、前記穴部の開放端の周縁に同心状に形成された環状凹溝であり、
前記第２係止部は、前記保持片の基端部に設けられた係止溝であり、
前記保持片の先端は、前記引っ張りバネの付勢力によって前記穴部の閉塞端に当接すると共に前記引っ張りバネの最伸張時には前記穴部の開放端近傍に位置するように設定されている過流出防止弁。
【請求項４】
請求項１から３のいずれかに記載の過流出防止弁において、前記ガス流路の内周面の所定位置に、前記固定筒の高さよりも幅広で且つ前記固定筒の肉厚以上の深さを有する環状溝部が形成され、前記固定筒の外径は、前記環状溝部の内径よりも大径に形成されている過流出防止弁。
【請求項５】
請求項１から３のいずれかに記載の過流出防止弁において、前記ガス流路の内周面に、上流側開放端に開放する大径部が形成され、
前記大径部とそれよりも下流側流路との段差を、前記固定筒の肉厚以上に設定されていると共に、前記上流側開放端から前記段差までの距離は前記固定筒の高さよりも長く設定されており、
前記固定筒の外径は、前記大径部の内径よりも大径に形成されている過流出防止弁。
【発明の詳細な説明】
【技術分野】
【０００１】
本発明は、過流出防止弁、特に、ガス流路内に装着されて、ガス流路内のガス量が一定流量以上になったとき、ガス流路を自動的に遮断する過流出防止弁に関する。
【背景技術】
【０００２】
ガス流路が過流出状態になった時点でガスの流れを遮断する過流出防止弁として、実開昭６０−６１５７０号公報に開示のものを考案した。
このものは、図５に示すように、ガス流路としてのホースエンド(4)内に密に挿入される両端開放の筒状ケーシング(40)と、筒状ケーシング(40)内に収容される扁平板状の保持部材(30)と、保持部材(30)に引っ張りバネ(41)を介して保持される球弁(3)とからなり、保持部材(30)は、筒状ケーシング(40)の上流側開放端近傍の一つの直径に沿って架設させる扁平基板(31)と、扁平基板(31)の両端から筒状ケーシング(40)の内壁に沿ってガス流路の下流側に延設される一対の側片(32)(32)と、扁平基板(31)の中央から側片(32)(32)と同方向に突出する中央片(33)とから、全体に同一肉厚の板状に形成されている。
【０００３】
扁平基板(31)の両外側には、それぞれ凸部(34)(34)が外方に突設されており、これらが、筒状ケーシング(40)の上流側開放端近傍の内面の前記一つの直径の両端に各々形成された一対の凹部(44)(44)内に嵌め込まれると共に、嵌め込み部分を接着剤で接着させたり、カシメたりして固定されている。
また、筒状ケーシング(40)の下流側開放端部には、テーパ状の弁座口(42)が設けられている。
引っ張りバネ(41)の一端は、保持部材(30)の中央片(33)に、他端は球弁(3)に形成された環状凹溝(35)に係止されており、通常時には、引っ張りバネ(41)の付勢力により、球弁(3)が、弁座口(42)よりも上流側にて、側片(32)(32)の先端部に支持されるように設定されている。
【０００４】
ホースエンド(4)内に流れるガス量が一定流量以上となると、球弁(3)は、ガス圧に押されて、引っ張りバネ(41)の付勢力に抗して下流側（図面では左側）へ移動し、同図の二点鎖線に示すように、弁座口(42)に圧接する。これにより、ガスの流れは遮断される。
そして、ガスの過流出状態が改善されると、球弁(3)は、引っ張りバネ(41)の付勢力によって上流側に引き戻され、側片(32)(32)の先端部に支持される初期状態に復帰する。
【先行技術文献】
【特許文献】
【０００５】
【特許文献１】実開昭６０−６１５７０号公報
【発明の概要】
【発明が解決しようとする課題】
【０００６】
上記構造の過流出防止弁では、ホースエンド(4)等のガス流路内に筒状ケーシング(40)が固定され、筒状ケーシング(40)内に保持部材(30)が接着剤やカシメによって固定されているから、ガス流路を流れるガスの作動流量調整のために、保持部材(30)の取付位置の微調整や、筒状ケーシング(40)内に収容されている球弁(3)と保持部材(30)と引っ張りバネ(41)からなる過流出防止弁の取替えや修理ができない。よって、ガス流路内のガスの作動流量が設定値から外れると、その修正ができないといった不都合があった。
また、従来のものでは、保持部材(30)を固定させる筒状ケーシング(40)は薄肉金属製の筒状体のため、凹部(44)(44)が両端に設けられている一つの直径に直交する他の直径の両端側の筒状ケーシング(40)を外から内方に押すことにより、凹部(44)(44)間の内径を弾性的に拡径させることができ、この状態で、保持部材(30)の凸部(34)(34)を筒状ケーシング(40)の凹部(44)(44)に嵌め込んで装着することが可能であった。しかしながら、内径を微調整できない真鍮製のガス栓のガス流入筒部等のガス流路内には、保持部材(30)を直接装着させることはできない。また、保持部材(30)を利用しても、既成のガス栓のガス流入筒部等の所定位置に筒状ケーシング(40)を確実に固定させることは困難である。
【０００７】
本発明は、『ガス流路内に設けたテーパ状の弁座口を閉塞する方向に移動可能な球弁と、前記球弁を支える保持部材と、前記球弁と前記保持部材との間に介在され前記球弁を前記保持部材側へ付勢する引っ張りバネとからなる過流出防止弁』において、どのようなガス流路に対しても容易に装着できると共に、作動流量調整のための位置調整や取替え又は修理が可能な過流出防止弁を提供することを課題とする。
【課題を解決するための手段】
【０００８】
本発明に係る過流出防止弁は、『前記保持部材は、前記ガス流路の内径よりも大径で且つ弾性的に縮径可能な両端開放の固定筒と、前記固定筒の中心線に沿って位置し且つその先端で前記球弁を離反可能に保持する保持片と、前記保持片と前記固定筒の内壁とを繋ぐ連結片とからなり、
前記球弁と前記保持片の各々の所定位置に、前記引っ張りバネの両端がそれぞれ係止される第１、第２係止部が形成され、
前記引っ張りバネの自然長は、前記球弁が前記保持片に保持された状態にある通常時における前記第１、第２係止部間の距離よりも短く設定されている』ことを特徴とするものである。
【０００９】
上記技術的手段は次のように作用する。
固定筒の直径を弾性的に縮径させて、固定筒よりも小径なガス流路内に前記保持部材の先端側から挿入させていき、所定位置に到達後、固定筒を弾性復帰させれば、固定筒はその外表面がガス流路の内周面に圧着する状態で装着される。ガス流路内における固定筒の固定位置は、ガス流路の上流側開放端からの挿入距離が一定となるようにした位置合わせ治具を用いれば良い。
固定筒は、ガス流路の内周面に圧着して固定されているだけであるから、流路方向へ移動可能であり、装着位置の微調整が可能である。
【００１０】
なお、通常時では、引っ張りバネの付勢力によって、球弁は、弁座口よりも上流側にて、保持片の先端に装着された状態に付勢されている。
ガス流路内のガスが過流出状態になると、球弁は、ガス圧で押されることにより、引っ張りバネを伸張させながら保持片の先端から離反して下流側に移動し、弁座口に圧接してガス流路を遮断する。過流出状態が改善されると、球弁は引っ張りバネの付勢力によって、弁座口から離反され、保持片の先端に装着される元の状態に復帰する。
【００１１】
上記過流出防止弁は、さらに、『前記固定筒は、略矩形状の金属製薄板を両短辺が相互に対向するように湾曲させた断面略Ｃ字状体とし、
前記連結片は、前記固定筒の一方の短辺から前記固定筒の中心に向かって延設されていると共に、
前記保持片は、前記連結片の延設端近傍部分からさらに下流側へ延設されている』ことが望ましい。
【００１２】
略矩形状の金属製薄板によって断面Ｃ字状体に形成された固定筒は外表面を指で押圧することにより前記両短辺間の距離を縮めて弾性的に縮径させることができ、ガス流路内に挿入することができる。また、前記連結片と保持片とで全体に略Ｌ字状の薄肉板状体が形成されており、連結片の基端部は固定筒の一方の短辺に連設された構成となっている。
【００１３】
また、上記過流出防止弁は、『前記球弁には、前記保持片の先端が遊嵌状態に挿入される１つの穴部がその中心を通るように開放しており、
前記第１係止部は、前記穴部の開放端の周縁に同心状に形成された環状凹溝であり、
前記第２係止部は、前記保持片の基端部に設けられた係止溝であり、
前記保持片の先端は、前記引っ張りバネの付勢力によって前記穴部の閉塞端に当接すると共に前記引っ張りバネの最伸張時には前記穴部の開放端近傍に位置するように設定されている』ものが望ましい。
【００１４】
引っ張りバネの一端は、球弁に形成された環状凹溝に係止され、他端は、保持片の基端部に形成された係止溝に係止される態様で、球弁と保持部材との間に介在される。引っ張りバネの伸縮に伴って、保持片の先端は球弁に設けた穴部内を進退移動することとなり、通常は、引っ張りバネの付勢力により、保持片の先端が穴部の閉塞端に当接している。この状態から、ガス流路内が過流出状態となると、保持片の先端が穴部の開放端部近傍に位置するまで引っ張りバネが伸張するが、過流出状態が改善されると、引っ張りバネの付勢力により、保持片の先端が穴部からズレることなく、球弁の穴部内に挿入される初期位置に復帰する。
【００１５】
また、上記過流出防止弁は、『前記ガス流路の内周面の所定位置に、前記固定筒の高さよりも幅広で且つ前記固定筒の肉厚以上の深さを有する環状溝部が形成され、前記固定筒の外径は、前記環状溝部の内径よりも大径に形成されている』ものが望ましい。
固定筒を縮径させながらガス流路内に挿入させていき、固定筒が、ガス流路内の環状溝部内に達した時点で弾性復帰させることにより、固定筒は、環状溝部内に収容される。この環状溝部の幅は、固定筒の高さよりも幅広に設定されているから、固定筒は環状溝部内にて流路方向に微調整可能である。また、固定筒の肉厚分、環状溝部に入り込むこととなるから、固定筒の肉厚分、ガス流路が狭くなることもない。
【００１６】
また、上記過流出防止弁のうち、『前記ガス流路の内周面に、上流側開放端に開放する大径部が形成され、
前記大径部とそれよりも下流側流路との段差を、前記固定筒の肉厚以上に設定されていると共に、前記上流側開放端から前記段差までの距離は前記固定筒の高さよりも長く設定されており、
前記固定筒の外径は、前記大径部の内径よりも大径に形成されている』ものでは、固定筒を縮径させながら、ガス流路の上流側開放端から大径部へ挿入すると、大径部の下流側に位置する段差に当接した時点で固定筒の侵入が阻止され、固定筒はそれ以上ガス流路内に侵入することはない。その段差の位置を作動流量の下限となるように寸法設定しておくと、作動流量調整の位置合わせが行い易い。また、ガス流路は固定筒の肉厚によって狭められることもない。
【発明の効果】
【００１７】
本発明によれば、固定筒の直径を弾性的に縮径させてそれよりも小径なガス流路に挿入させ、所定位置にて弾性復帰させることにより、固定筒の外表面をガス流路内に圧着させて固定させることができるから、どんなガス流路にも、過流出防止弁を容易に且つ確実に取付けることができると共に、取り外しや交換、修理も容易に行うことができる。
なお、固定筒は、ガス流路内に圧接させているだけであるから、流路方向に装着位置の微調整が可能となり、作動流量の設定の調整ができる。
また、従来のものに比べて、部品点数が少ないため安価となる上に、組み付けも容易となる。
さらに、保持部材は、ガス流路の内周面に固定筒が密着すると共に、固定筒からその半径方向に保持片を具備する連結片が延長するだけの構成であるから、流路抵抗を小さくすることができる。
【００１８】
また、固定筒を金属製薄体を湾曲させて断面略Ｃ字状体としたものでは、固定筒は縮径させ易くなり、ガス流路への装着が一層容易となる。また、連結片及び保持片とで全体に略Ｌ字状の薄肉板状体を構成し、これを、略矩形状の固定筒の一方の短辺に連続させる構成としたものでは、薄肉金属板を所定の形状に打ち抜き、所定箇所を湾曲及び屈曲させるだけで保持部材が完成するから、保持部材の製造が容易となる。
【００１９】
保持片の先端が、球弁に設けた穴部内を進退移動するように構成し、引っ張りバネが最伸張状態となった後に再度付勢力が作用したときには、球弁を保持片の先端が穴部の閉塞端に到達する元の装着状態に復帰できるように設定しておくことにより、球弁が保持片からずれたり、外れたりする不都合がない。よって、球弁を、保持部材の中心部にて常に安定した状態で維持することができ、作動流量にバラツキを生じさせ難い。
【００２０】
さらに、固定筒を、ガス流路に設けた環状溝部や大径部に収容させる構成としたものでは、固定筒をガス流路内の所定位置に位置合わせ治具を使用することなく確実に取り付けることができるから、過流出防止弁の装着が一層容易となる。また、固定筒の肉厚がガス流路内に突出しないから、ガス流路が固定筒の肉厚分狭くなることはなく、ガス流路の流路抵抗を一層小さくすることができる。
【図面の簡単な説明】
【００２１】
【図１】本発明の実施の形態の過流出防止弁の斜視図である。
【図２】本発明の実施の形態の過流出防止弁を収容させた第１番目のガス栓の断面図である。
【図３】本発明の実施の形態の過流出防止弁を収容させた第２番目のガス栓の要部拡大断面図である。
【図４】本発明の実施の形態の過流出防止弁を収容させた第３番目のガス栓の要部拡大断面図である。
【図５】従来の過流出防止弁を収容させたホースエンド部の断面図  である。
【発明を実施するための形態】
【００２２】
以下に、本発明を実施するための形態について添付図面を参照しながら説明する。
図１は、本発明の実施の形態の過流出防止弁(1)の斜視図であり、図２に示すように、真鍮製のガス栓(2)のガス流入筒部(21)に挿入されて使用されるものとする。
【００２３】
本発明の過流出防止弁(1)は、図１に示すように、前記保持部材全体を、弾性を有する薄肉金属板から構成し、矩形板状体の両短辺(13a)(13b)を所定の距離をおいて相互に対向するように湾曲させた断面略Ｃ字状の固定筒(13)と、固定筒(13)の一方の短辺(13a)から固定筒(13)の中心へ向かう一つの半径に沿って延設させた連結片(11)と、連結片(11)の延設端部近傍域から固定筒(13)の中心線に沿って上方（下流側）へ延長させた保持片(12)とから形成する。保持片(12)の先端には球弁(10)が保持されていると共に、保持片(12)の基端部と球弁(10)との間には、引っ張りバネ(17)が介在されている。
なお、以下における「上」「下」の記載は、図１における上下に相当するものとする。
【００２４】
連結片(11)と保持片(12)とは、全体に略Ｌ字状に形成されており、連結片(11)は、固定筒(13)の高さの半分以下の高さの帯状体からなり、固定筒(13)の上流側（図１では下側）寄りの所定範囲から内方へ延設されている。保持片(12)は、連結片(11)の延設端近傍の上辺に連設された台形状の基板(12a)と、その上辺からさらに上方へ延長させた細長い保持棒(12b)とから構成されている。
基板(12a)と連結片(11)との間の両側に、引っ張りバネ(17)の上流側端部を係止させる前記第２係止部としての一対の係止溝(14)(14)が両側方に開放するように形成されている。
【００２５】
球弁(10)には、図２に示すように、保持片(12)の保持棒(12b)が遊嵌状態に挿入される穴部(15)がその中心を通るように形成されており、穴部(15)の開放端の周縁には、引っ張りバネ(17)の下流側端部を係止させる前記第１係止部としての環状凹溝(16)が穴部(15)と同心状に形成されている。
【００２６】
保持棒(12b)の先端が穴部(15)の閉塞端(15a)に到達するまで、保持棒(12b)を穴部(15)に差し込んだ状態で、係止溝(14)及び環状凹溝(16)に引っ張りバネ(17)の両端をそれぞれ係止させると、過流出防止弁(1)の組み付けが完了する。なお、この状態における係止溝(14)から環状凹溝(16)までの長さを、引っ張りバネ(17)の自然長よりも長く設定しておくことにより、引っ張りバネ(17)の付勢力によって、穴部(15)の閉塞端(15a)に保持棒(12b)の先端が当接した装着態様が維持される。
【００２７】
図２に示したものは、過流出防止弁(1)を装着させる真鍮製のガス栓(2)であり、上流側のガス流入筒部(21)と下流側のガス流出筒部(22)との間に、せん収容部(20)が設けられていると共に、せん収容部(20)には、連通孔(25)が貫通するせん(23)が収容されている。せん(23)は、操作つまみ(24)によってせん収容部(20)内にて回動自在であり、操作つまみ(24)を操作して、連通孔(25)の両開放端がガス流入筒部(21)側及びガス流出筒部(22)側に開放するようにせん(23)を回動させることにより、ガス流入筒部(21)からせん(23)の連通孔(25)を介してガス流出筒部(22)に至るガス流路が形成される。過流出防止弁(1)は、ガス流入筒部(21)の弁座口(26)よりも上流側の上流側開放端近傍に装着される。
【００２８】
固定筒(13)の自然状態における外径は、ガス流入筒部(21)の内径よりも大径に設定されており、上記要領で組み付けられた過流出防止弁(1)は、両短辺(13a)(13b)の距離が狭くなるように固定筒(13)の外表面を押圧することにより、固定筒(13)の外径を縮径させながら、ガス流入筒部(21)の上流側開放端に、球弁(10)から先に挿入することができる。このとき、図示しないが、位置合わせ治具を用いることにより、ガス流入筒部(21)の上流側開放端から一定距離奥まった所定位置に過流出防止弁(1)を装着させることができる。
なお、固定筒(13)は、ガス流入筒部(21)の内周面に接着剤やカシメ等により固定されているわけではないので、作動流量の調整に応じて、固定筒(13)の位置は、流路方向に微調整することができる。
【００２９】
図２は、通常の使用状態を示しており、保持片(12)の保持棒(12b)の先端が、球弁(10)に設けた穴部(15)の閉塞端(15a)に当接した状態が維持されている。この状態から、ガス流路内のガス量が一定流量以上となった場合、球弁(10)は、ガス圧に押されることにより、引っ張りバネ(17)を伸張させながら下流側（図面では右側）へ移動し、保持片(12)の保持棒(12b)から離反して、同図の二点鎖線に示すように、弁座口(26)に圧接する。これにより、ガスの流れは遮断される。
ガスの過流出状態が改善されると、球弁(10)は、引っ張りバネ(17)の付勢力によって、上流側へ引き戻され、保持片(12)の保持棒(12b)が球弁(10)の穴部(15)内に再度挿入されると共に保持棒(12b)の先端が穴部(15)の閉塞端(15a)に当接する元の姿勢に復帰する。
なお、穴部(15)の直径を球弁(10)の半径長さに相当するほど大きく形成しておくことにより、一旦保持棒(12b)の先端から離反した球弁(10)が、引っ張りバネ(17)の付勢力により、再度穴部(15)内に挿入される際に多少歪んでも、穴部(15)から外れることなく、確実に穴部(15)に再挿入させることができる。
【００３０】
また、ガス栓(2)のガス流入筒部(21)には、図３に示すように、環状溝部(5)を形成し、環状溝部(5)内に、過流出防止弁(1)の固定筒(13)を収容させる構成としてもよい。環状溝部(5)の深さ(D1)は、固定筒(13)の肉厚(d)よりも深く設定されていると共に、環状溝部(5)の流路方向の幅(W)は、固定筒(13)の高さ(h)よりも長く設定されていることが望ましい。
【００３１】
このものでは、保持片(12)に球弁(10)を装着させると共に、保持片(12)の係止溝(14)と球弁(10)の環状凹溝(16)との間に引っ張りバネ(17)を介在させた状態に組み立てた過流出防止弁(1)を、固定筒(13)を縮径させながら、球弁(10)側からガス流入筒部(21)内に挿入させる。固定筒(13)が環状溝部(5)内に到達した時点で、縮径状態を開放させることにより、固定筒(13)は環状溝部(5)内に圧接状態に取り付けられることとなる。
環状溝部(5)の流路方向の幅(W)は、固定筒(13)の高さ(h)よりも長く設定されていることから、過流出防止弁(1)は、環状溝部(5)の幅(W)と固定筒(13)の高さ(h)との差だけ、流路方向に移動可能となり、過流出防止弁(1)の取り付け位置の微調整が可能となっている。
また、環状溝部(5)の下流端部に相当する段部(51)を、作動流量の下限となるように寸法設定しておけば、位置合わせ治具を用いることなく、ガス流入筒部(21)の所定位置に過流出防止弁(1)を装着することができる。
過流出状態においては、上記した第１番目の実施の形態と同様に、球弁(10)が同図の二点鎖線に示すように、引っ張りバネ(17)を伸張させながら下流側に移動してガス流入筒部(21)の弁座口(26)に当接して、ガス流路を遮断する。
【００３２】
図４に示すものは、上記したような環状溝部(5)の上流端部を、ガス流入筒部(21)の上流側開放端にまで開放して、ガス流入筒部(21)の上流側に開放する大径部(50)を構成したものである。
大径部(50)の深さ(D2)は、固定筒(13)の肉厚(d)よりも深く設定されており、大径部(50)の下流側の段部(52)を、作動流量の下限となるように寸法設定しておけば、上記した実施の形態と同様、位置合わせ治具を用いることなく、ガス流入筒部(21)の所定位置に過流出防止弁(1)を装着することができ、過流出防止弁(1)は、大径部(50)内を流路方向に移動可能となっている。よって、過流出防止弁(1)の取付位置の微調整が可能である。
【００３３】
これら図３及び図４に示すような、ガス栓(2)のガス流入筒部(21)に環状溝部(5)又は大径部(50)が形成されている場合、位置合わせ治具を必要としないので、作業効率が向上する上に、作動流量調整のための位置合わせが行い易い。
また、環状溝部(5)及び大径部(50)の深さ(D1)(D2)は、固定筒(13)の肉厚(d)よりも深く形成されていることから、過流出防止弁(1)の装着時に、ガス流入筒部(21)内に固定筒(13)の肉厚が突出することがない。よって、ガス流入筒部(21)の流路抵抗は一層小さくなる。
【符号の説明】
【００３４】
(1) ・・・・・・・過流出防止弁
(10)・・・・・・・球弁
(11)・・・・・・・連結片（保持部材）
(12)・・・・・・・保持片（保持部材）
(13)・・・・・・・固定筒（保持部材）
(17)・・・・・・・引っ張りバネ
(14)・・・・・・・係止溝（第２係止部）
(16)・・・・・・・環状凹溝（第１係止部）
(26)・・・・・・・弁座口
【図１】
2015096746.tif 000003
【図２】
2015096746.tif 000004
【図３】
2015096746.tif 000005
【図４】
2015096746.tif 000006
【図５】
2015096746.tif 000007